(57)【要約】  【課題】人体の影響を低減して効率的なアンテナ特性を発揮しかつ広帯域化を図る。  【解決手段】  携帯端末機６に着脱自在に接続される多極プラグ部２とアンテナ素子７に着脱自在に接続される高周波ジャック部３と同軸ケーブル４と、高周波フィルタ５を備える。同軸ケーブル４のシールド外皮線２２により第１ＲＦ信号の共振特性を有する第１アンテナ１１を構成するとともに、同軸ケーブル４の信号線２０とアンテナ素子７により第２ＲＦ信号の共振特性を有する第２アンテナ１２を構成し、高周波フィルタ５により第１ＲＦ信号と第２ＲＦ信号の伝送を制御する。  【選択図】  図１
2008263373.tif 000002
【特許請求の範囲】
【請求項１】
携帯端末機に対して着脱自在に接続される第１接続部と、
アンテナ素子に対して着脱自在に接続される第２接続部と、
上記第１接続部に設けられた高周波フィルタと、
一端側を上記高周波フィルタを介して上記第１接続部と接続されるとともに、他端側を上記第２接続部と接続された所定長の同軸ケーブルとから構成され、
上記同軸ケーブルのグランド外皮により第１基準周波数に基づく第１高周波信号に対する共振特性を有する第１アンテナを構成するとともに、上記同軸ケーブルの信号線及びこの信号線と接続される上記アンテナ素子とにより上記第１基準周波数よりも低帯域の第２基準周波数に基づく第２高周波信号に対する共振特性を有する第２アンテナを構成することを特徴とするアンテナケーブル。
【請求項２】
上記高周波フィルタが、上記第１接続部の高周波接続端に接続される上記同軸ケーブルの信号線とグランド外皮の接続部に設けたインダクタとコンデンサの並列共振回路により構成されることを特徴とする請求項１に記載のアンテナケーブル。
【請求項３】
上記高周波フィルタが、上記第１接続部と上記同軸ケーブルの信号線に接続した第１高周波フィルタと、上記第１接続部と上記同軸ケーブルのグランド外皮に接続した第２高周波フィルタとにより構成されることを特徴とする請求項１に記載のアンテナケーブル。
【請求項４】
上記第１高周波フィルタと上記第２高周波フィルタに、ローパスフィルタと、ハイパスフィルタと、バンドパスフィルタと、帯域通過阻止フィルタのいずれか１のフィルタが用いられることを特徴とする請求項３に記載のアンテナケーブル。
【請求項５】
上記アンテナ素子が、左右一対のイヤホンと、これらイヤホンをそれぞれ一端部に設けた左右一対の信号線及びグランド線とからなる所定長のイヤホンコードと、このイヤホンコードの他端部に設けられた接続部とから構成したイヤホンアンテナであり、
上記接続部において、上記第２接続部に対して着脱自在とされることを特徴とする請求項１に記載のアンテナケーブル。
【発明の詳細な説明】
【技術分野】
【０００１】
本発明は、携帯電話機等の携帯端末機と外付けアンテナに対して着脱自在に接続して用いるアンテナケーブルに関する。
【背景技術】
【０００２】
例えば、携帯電話機は、通話機能とともにカメラ機能や各種の情報端末機能等が標準搭載されて単なる通話手段から総合携帯端末機器として位置付けられるようになっている。また、携帯電話機は、例えばデジタルラジオ放送やＦＭ放送或いは地上波デジタルテレビジョン放送の受信端末機としての機能も搭載され、イヤホンコードを接続して受信した放送音楽番組等を楽しむといった態様でも使用される。
【０００３】
携帯端末機においては、イヤホンコードにアンテナ機能を持たせいわゆるイヤホンアンテナを用いることにより広帯域化特性による放送番組の受信特性の向上を図っている。しかしながら、かかるイヤホンアンテナにおいては、使用状態においてイヤホンコードの一部が人体に触れることにより高周波特性が著しく低下するといった問題があり、例えば特許文献１乃至特許文献３に開示されるように人体との接触部位に同軸ケーブルを用いることにより影響を防止する対応が図られている。
【０００４】
特許文献１は、本出願人によるものであり、携帯端末機から引き出される同軸ケーブルの内部導体を外部導体の末端より伸ばし、引き出された内部導体と外部導体とにより励振するスリーブアンテナ構造を構成してオーディオ信号と高周波信号（以下、ＲＦ信号と称する。）を重畳して伝送する。また、特許文献２には、携帯端末機のイヤホンコネクタ部に接続することにより少なくとも１本以上の信号線がオーディオ信号線を介して放送受信回路に接続され、信号線の途中（接続端から３／４λ位置）にＲＦ信号を遮断する高周波切断回路が設けられて人体と接触することが多い先端部位をアンテナ線としてカットした構成とする。さらに、特許文献３にも、イヤホンコードと携帯端末機とをアンテナ線として構成されたリモートコントローラ（中間部：リモコン）を有する同軸ケーブルにより接続し、リモコンの内部に第１高周波減衰素子と第２高周波減衰素子を有して高周波切断回路を構成して先端部位をアンテナ線としてカットし、人体による影響を低減する。
【０００５】
【特許文献１】特開２００５−６４７４２号公報
【特許文献２】特開２００６−２５３９２号公報
【特許文献３】特許第３８５１３３９号公報
【発明の開示】
【発明が解決しようとする課題】
【０００６】
従来のイヤホンアンテナにおいては、上述したようにケーブルの途中箇所にオーディオ信号線に高周波インピーダンスが高くなるインダクタ等の素子を直列に接続してＲＦ成分を遮断或いは減衰する高周波切断回路を設けることにより、人体の影響を回避してＲＦ特性の向上を図っている。しかしながら、従来のイヤホンアンテナにおいては、かかる高周波切断回路のインダクタ等の素子にＤＣ抵抗があるために、オーディオ特性を低下させるといった問題があった。
【０００７】
すなわち、高周波切断回路は、伝送線路中においてＲＦ成分を遮断するために所定の周波数帯域においてでき得るかぎりインピーダンスが高くなるようなインダクタが用いられる。高周波切断回路においては、直列インダクタンスのインピーダンスがＺ＝ｊ２πｆＬで表され、Ｌの値が大きいほどインピーダンスが大きくなってＲＦ成分を遮断することが可能でありＲＦ信号の伝送効率を向上させる。一方、高周波切断回路においては、インダクタンスが高くなるにしたがって導体抵抗値が大きくなってＤＣ抵抗が高くなることから、オーディオ信号線を伝送されるオーディオ信号の伝送効率を低下させてしまうといった問題があった。
【０００８】
また、従来のイヤホンアンテナにおいては、上述したようにケーブルの途中箇所に設ける高周波切断回路が例えば配線基板にインダクタを実装して構成され、この配線基板に同軸ケーブルやイヤホンコードが接続される。したがって、従来のイヤホンアンテナは、途中箇所に大型の中継部位が構成され、コードの引き回しが不自由となって使い勝手が低下するとともにコストもアップするといった問題があった。
【０００９】
特許文献２や特許文献３に開示されたイヤホンアンテナにおいては、同軸ケーブルの信号線にオーディオ信号を互いに独立して伝送する複数の平行リッツ線が用いられおり、これら各平行リッツ線がＲＦ信号線としては結合して１本の信号線となる。したがって、イヤホンアンテナにおいては、ＲＦ信号の伝送線（例えばグランド線）以外のオーディオＲチャンネル信号線やＬチャンネル信号線に対しても高周波切断回路が設けられ、大型化や高コスト化の問題が大きくなる。
【００１０】
また、かかるイヤホンアンテナにおいては、人体との接触が多い部位を高周波切断回路によりカットすることで、充分な長さの全長をアンテナ素子として有効に利用し得ていない。イヤホンアンテナにおいては、所定帯域のＲＦ信号が共振する長さ位置に高周波切断回路を設けるために、当該ＲＦ信号よりも低周波数帯域のＲＦ信号についてはアンテナ特性が大幅に劣化するといった問題があった。イヤホンアンテナにおいては、例えばデジタルラジオ放送帯域（１９０ＭＨｚ）用として構成した場合には低周波数帯域であるＦＭラジオ放送帯域（７０ＭＨｚ〜１００ＭＨｚ）の受信特性が低下し、ＦＭラジオ放送帯域用として設定した場合に同軸ケーブル長が大きくなってしまう。すなわち、従来のイヤホンアンテナにおいては、オーディオ信号とＲＦ信号とを重畳して伝送を行うようにするが、異なる周波数帯域のＲＦ信号をそれぞれ効率よく受信することが可能なアンテナ特性までは備えられていない。
【００１１】
したがって、本発明は、人体の影響を低減して効率的なアンテナ特性を発揮する広帯域化を図った構造簡易で廉価なアンテナケーブルを提供することを目的とする。
【課題を解決するための手段】
【００１２】
上述した目的を達成する本発明にかかるアンテナケーブルは、携帯端末機に対して着脱自在に接続される第１接続部と、アンテナ素子に対して着脱自在に接続される第２接続部と、第１接続部に設けられた高周波フィルタと、一端側を高周波フィルタを介して第１接続部と接続されるとともに他端側を第２接続部と接続された所定長の同軸ケーブルとから構成される。アンテナケーブルは、同軸ケーブルのグランド外皮により第１基準周波数に基づく第１高周波信号に対する共振特性を有する第１アンテナを構成するとともに、同軸ケーブルの信号線及びこの信号線と接続されるアンテナ素子とにより第２基準周波数に基づく第２高周波信号に対する共振特性を有する第２アンテナを構成する。
【００１３】
アンテナケーブルは、第１基準周波数λ１が例えば１／４λ１、１／２λ１の高周波信号とともに高調波信号（ｎλ１。ｎ＝１．２．・・）を含む第１高周波信号であり、第２基準周波数λ２が第１基準周波数よりも低帯域の例えば１／４λ２、１／２λ２の高周波信号とともに高調波信号（ｎλ２。ｎ＝１．２．・・）を含む第２高周波信号であり、これら第１高周波信号と第２高周波信号とに対して共振特性を有する。
【００１４】
アンテナケーブルは、第１接続部の高周波接続端に接続される同軸ケーブルの信号線とグランド外皮の接続部に設けたインダクタとコンデンサの並列共振回路により高周波フィルタを構成する。
【００１５】
また、アンテナケーブルは、第１接続部と同軸ケーブルの信号線に接続した第１高周波フィルタと、第１接続部と同軸ケーブルのグランド外皮に接続した第２高周波フィルタとの少なくとも２個の高周波フィルタを備える。アンテナケーブルは、２個の高周波フィルタとして、それぞれローパスフィルタと、ハイパスフィルタと、バンドパスフィルタと、帯域通過阻止フィルタのいずれか１のフィルタが選択して用いられる。
【００１６】
さらに、アンテナケーブルは、アンテナ素子が、左右一対のイヤホンと、これらイヤホンをそれぞれ一端部に設けた左右一対の信号線及びグランド線とからなる所定長のイヤホンコードと、このイヤホンコードの他端部に設けられた接続部とから構成したイヤホンアンテナにより構成する。
【００１７】
アンテナケーブルにおいては、人体の影響を回避する同軸ケーブルを用いて第１アンテナを構成することにより、人体の影響を大きく受ける高帯域の高周波信号である第１高周波信号を安定かつ効率的に受信する。アンテナケーブルにおいては、同軸ケーブルとイヤホンコードの全長分を有効に利用して充分なアンテナ長を確保した第２アンテナを構成することにより、高周波信号の広帯域化を図り、人体の影響が比較的小さい低帯域の高周波信号を効率よく送受信する。
【００１８】
アンテナケーブルにおいては、大きな全長を有して広帯域化を図った第２アンテナにおいても人体の影響を受けて特性が低減した高帯域の第１高周波信号も受信するが、この第１高周波信号成分を高周波フィルタによりカットして、第１アンテナで受信した所定周波数帯域の高周波信号のみが携帯端末機に伝送されるようにする。アンテナケーブルにおいては、人体の影響を低減し効率的なアンテナ特性を奏して広周波数帯域化が図られるようにする。アンテナケーブルにおいては、携帯端末機との接続部を構成する第１接続部に高周波フィルタを設けることにより、同軸ケーブル長とイヤホンコードの全長を手軽に引き回すことを可能として操作性の向上を図るとともに携帯端末機側の構造を簡易化することが可能でありかつ組立効率の向上が図られて低コストで製造される。
【発明の効果】
【００１９】
本発明によれば、同軸ケーブルに第１アンテナを構成するとともに同軸ケーブルとアンテナ素子とを接続して第２アンテナを構成し、第１アンテナに対して共振特性を有する第１高周波信号と第２アンテナに対して共振特性を有する第２高周波信号を選択する高周波フィルタを備えることにより、広帯域化と人体の影響を低減して特性向上を図ることが可能である。
【発明を実施するための最良の形態】
【００２０】
以下、本発明の実施の形態について、図面を参照して詳細に説明する。実施の形態として示すアンテナケーブル１は、図１及び図４に示すように、それぞれ詳細を後述する第１接続部を構成する多極プラグ部２と、第２接続部を構成する高周波ジャック部３と、相対する両端部にこれら多極プラグ部２と高周波ジャック部３を設けた同軸ケーブル４とから構成される。アンテナケーブル１には、多極プラグ部２の内部に高周波フィルタ５を設けることにより、第１ＲＦ信号と第２ＲＦ信号の振り分け、すなわちＲＦ信号の伝送を規制する。
【００２１】
アンテナケーブル１は、図１及び図２に示すように、携帯電話機６とイヤホンアンテナ７を構成する左右一対のイヤホンコード８Ｌ、８Ｒ（以下、個別に説明する場合を除いてイヤホンコード８と総称する。）とを接続する。アンテナケーブル１は、図２に示すように使用状態において、人体Ｈから離れた部位において携帯電話機６とイヤホンアンテナ７とを接続して用いられる。アンテナケーブル１は、詳細を後述するように携帯電話機６とイヤホンアンテナ７に対して着脱自在であり、通話の使用形態のように特に必要としない場合にはイヤホンアンテナ７とともに携帯電話機６から取り外される。
【００２２】
アンテナケーブル１は、イヤホンアンテナ７と共同して使用者が移動中でも例えば１９０ＭＨｚ帯域（第１ＲＦ信号）のデジタルラジオ放送番組や７０ＭＨｚ〜１００ＭＨｚ帯域（第２ＲＦ信号）のＦＭラジオ放送番組を高感度で受信して、携帯電話機６を介してイヤホンコード８に設けた左右のイヤホン９Ｌ、９Ｒ（以下、個別に説明する場合を除いてイヤホン９と総称する。）により高音質で聞くことを可能とする。
【００２３】
なお、アンテナケーブル１は、携帯電話機６とイヤホンアンテナ７とを接続する使用態様に限定されず、ラジオ放送やテレビジョン放送等の受信機能を備える各種携帯端末機器と接続構造を有するロッドアンテナ等の各種アンテナとを接続して用いることも可能であることは勿論である。アンテナケーブル１は、上述したように異なる帯域のＲＦ信号の受信アンテナとして用いるが、送信用アンテナとしても用いられることは勿論である。
【００２４】
携帯電話機６は、詳細を省略するが通話機能やカメラ機能等の各種機能とともに、ＶＨＦハイバンドデジタルラジオチューナやＶＨＦ・ロウバンドＦＭラジオチューナ等を搭載し、アンテナケーブル１を接続することにより上述したデジタルラジオ放送番組やＦＭラジオ放送番組を高感度で受信することが可能である。携帯電話機６は、詳細を省略するが筐体に多ピン構成の外部接続コネクタ部１０を有しており、この外部接続コネクタ部１０にアンテナケーブル１の多極プラグ部２が着脱される。携帯電話機６は、外部接続コネクタ部１０にアンテナケーブル１を接続すると、この接続を検出して例えば内部スピーカからイヤホンコード８への出力回路の切替や内蔵アンテナからイヤホンアンテナ７への入力回路の切替が行われる。なお、携帯電話機６は、イヤホンアンテナ７を外部スピーカとして接続することも可能である。
【００２５】
携帯電話機６は、アンテナケーブル１を介してイヤホンアンテナ７が接続されると、詳細を後述するように筐体をグランドとしかつ接続部位を給電点とする、アンテナケーブル１の同軸ケーブル４からなるｆ１帯域のＲＦ信号に対して共振特性を有するモノポール型の第１アンテナ１１と、同軸ケーブル４とイヤホンアンテナ７とを一体化してなるｆ２帯域のＲＦ信号に対して共振特性を有するモノポール型の第２アンテナ１２が構成されるようにする。携帯電話機６は、第１アンテナ１１と第２アンテナ１２で受信する２周波数帯域の放送番組のＲＦ信号が高周波フィルタ５により選択されて入力されることによりイヤホン９によって高音質で聞くことを可能とする。
【００２６】
イヤホンアンテナ７は、図２及び図３に示すように、イヤホンコード８が、一端側にそれぞれイヤホン９Ｌ、９Ｒを設けた先端側の個別イヤホンコード８ＬＡ、８ＲＡを結合部８Ｃで一体化して一体イヤホンコード８Ｄとし、この一体イヤホンコード８Ｄの他端側に多極プラグ体１３が設けられる。イヤホンアンテナ７は、多極プラグ体１３を多極ジャック部３に差し込むことによりアンテナケーブル１と接続される。なお、イヤホンアンテナ７は、アンテナケーブル１を使用しない態様では、多極プラグ体１３をアンテナケーブル１から取り外して携帯電話機６や各種携帯端末機に設けた多極ジャック部に直接接続して用いることも可能である。
【００２７】
イヤホンアンテナ７は、同軸ケーブル４に接続して電気的に一体化されて全体として第２アンテナ１２を構成することにより、もっぱら人体Ｈの影響が少ない低周波数帯域の第２ＲＦ信号を効率的に受信するＦＭラジオ放送用アンテナとして機能する。イヤホンアンテナ７は、同軸ケーブル４と共同してＦＭラジオ放送帯域の第２ＲＦ信号に対する共振特性を有して当該ＲＦ信号を効率よく受信するとともに使い勝手から、例えば個別イヤホンコード８ＬＡの長さａを１４０ｍｍとし、個別イヤホンコード８ＲＡの長さｂを４５０ｍｍとし、一体イヤホンコード８Ｄの長さｃを１０５０ｍｍとする。
【００２８】
イヤホンコード８は、図１に示すようにそれぞれが２本の信号線１４を有している。すなわち、Ｌチャンネル側のイヤホンコード８Ｌは、Ｌチャンネルオーディオ信号線１４ＬとＬチャンネルグランド線１４ＬＧとを有する。Ｒチャンネルのイヤホンコード８Ｒも、Ｒチャンネルオーディオ信号線１４ＲとＲチャンネルグランド線１４ＲＧの信号線を有している。イヤホンコード８は、各チャンネルオーディオ信号線１４Ｌ、１４Ｒが多極ジャック体１３のＬチャンネル端子１３ＬとＲチャンネル端子１３Ｒに対してそれぞれ独立して接続されるとともに、グランド線１４ＬＧ、１４ＲＧがグランド端子１３Ｇに共通して接続される。
【００２９】
以上のように構成されたイヤホンアンテナ７は、後述するアンテナケーブル１を介して携帯電話機６側から出力されるＬチャンネルオーディオ信号を、イヤホンコード８のＬチャンネルオーディオ信号線１４ＬとＬチャンネルグランド線１４ＬＧとにより伝送してＬチャンネルイヤホン９Ｌから出力する。イヤホンアンテナ７は、Ｒチャンネルオーディオ信号をＲチャンネルオーディオ信号線１４ＲとＲチャンネルグランド線１４ＲＧとにより伝送してＲチャンネルイヤホン９Ｒから出力する。
【００３０】
また、イヤホンアンテナ７は、詳細を後述するようにアンテナケーブル１の同軸ケーブル４と接続され、この同軸ケーブル４を介して携帯電話機６との接続部を給電点とするモノポール型の第２アンテナ１２を構成する。イヤホンアンテナ７は、各信号線１４が同軸ケーブル４と共同して大きな全長を有するＲＦ信号線として機能し、７０ＭＨｚ〜１００ＭＨｚ帯域のＦＭラジオ放送番組の受信用アンテナを構成する。なお、イヤホンアンテナ７は、大きな全長を有していることから人体Ｈの影響を受ける高帯域のＲＦ信号もその一部で受信するが、後述するようにアンテナケーブル１の高周波フィルタ５により携帯電話機１への伝送をカットされる。
【００３１】
アンテナケーブル１は、多極プラグ部２が、携帯電話機６側の外部接続コネクタ部１０の仕様に合ったいわゆる１０ピンプラグ仕様で構成される。多極プラグ部２は、図４に示すように絶縁ケース１５を有し、この絶縁ケース１５の内部に端子板を兼ねる配線基板１６を収納する。配線基板１６には、詳細を後述する高周波フィルタ５が搭載される。配線基板１６には、詳細を後述するように同軸ケーブル４の相対する各信号線２０がそれぞれ接続されるＬチャンネル信号線パターン１７Ｌ、Ｒチャンネル信号線パターン１７Ｒ及びグランド線パターン１７Ｇを有する適宜の配線パターン１７が形成される。
【００３２】
配線基板１６は、各配線パターン１７を引き出して端子部を形成した一側部が、図４に示すように絶縁ケース１５から露出されて携帯電話機６側の外部接続コネクタ部１０との嵌合部を構成する。配線基板１６には、上述した各配線パターン１７とともに、後述する同軸ケーブル４のシールド外皮線２２が接続されるシールド線パターン１７Ｓが形成される。シールド線パターン１７Ｓは、グランド線パターン１７Ｇと接続される。なお、配線基板１６には、図示を省略するが例えば接続検出用パターン等も形成される。
【００３３】
アンテナケーブル１は、高周波ジャック部３が、図４に示すように詳細を省略するが一方側にイヤホンアンテナ７の多極プラグ体１３が差し込まれる差込み口を開口した筒状絶縁スリーブ１８を有し、この絶縁スリーブ１８の内部に接続端子１９が設けられる。接続端子１９は、図１に示すようにＬチャンネル接続端子１９Ｌと、Ｒチャンネル接続端子１９Ｒ及びグランド接続端子１９Ｇからなり、それぞれの先端部が差込み口に突出されるようにして絶縁スリーブ１８内に設けられる。高周波ジャック部３は、差込み口から多極プラグ体１３が差し込まれることにより、これら各接続端子１９Ｌ、１９Ｒ、１９Ｇが相対する端子１３Ｌ、１３Ｒ、１３Ｇとそれぞれ接続してイヤホンアンテナ７を接続する。
【００３４】
アンテナケーブル１は、同軸ケーブル４が、図１及び図４（Ｂ）に示すように、芯線がＬチャンネル信号線２０ＬとＲチャンネル信号線２０Ｒとグランド信号線２０Ｇの３本の信号線２０からなり、これら信号線２０を被覆する絶縁被覆２１と、シールド外皮線２２と、絶縁外皮２３とから構成される。同軸ケーブル４は、多極プラグ部２を給電点として１９０ＭＨｚ帯域（ｆ１帯域）のデジタルラジオ放送番組の第１ＲＦ信号を効率的に受信する第１アンテナ１１を構成する。同軸ケーブル４は、このｆ１帯域の第１ＲＦ信号に共振して効率的に受信するために、長さがｆ１帯域のＲＦ信号の１／４波長分である約４３０ｍｍに設定される。
【００３５】
同軸ケーブル４は、Ｌチャンネル信号線２０Ｌが、多極プラグ部２側において配線基板１６のＬチャンネル信号線パターン１７Ｌと接続されるとともに高周波ジャック部３側においてＬチャンネル接続端子１９Ｌと接続される。同軸ケーブル４は、Ｒチャンネル信号線２０Ｒが、多極プラグ部２側において配線基板１６のＲチャンネル信号線パターン１７Ｒと接続されるとともに高周波ジャック部３側においてＲチャンネル接続端子１９Ｒと接続される。
【００３６】
同軸ケーブル４は、グランド信号線２０Ｇが、多極プラグ部２側においてグランド線パターン１７Ｇと接続されるとともに高周波ジャック部３側においてグランド接続端子１９Ｇと接続される。同軸ケーブル４は、多極プラグ部２側において絶縁外皮２３が剥かれてシールド外皮線２２が露出され、このシールド外皮線２２を配線基板１６のグランド線パターン１７Ｇに接続するシールド線パターン１７Ｓと接続する。
【００３７】
以上のように構成された同軸ケーブル４は、多極プラグ部２と高周波ジャック部３を介して携帯電話機６とイヤホンアンテナ７とに接続され、携帯電話機６側から出力されるＬチャンネルオーディオ信号とＲチャンネルオーディオ信号を、各信号線２０を介してイヤホンコード８に伝送してイヤホン９から出力されるようにする。
【００３８】
同軸ケーブル４は、シールド外皮線２２が高周波ジャック部３側において電気的に開放されており、上述したように多極プラグ部２を給電点とするモノポール型の第１アンテナ１１を構成して、１９０ＭＨｚ帯域のＲＦ信号に共振してデジタルラジオ放送番組を受信する。また、同軸ケーブル４は、上述したように各信号線２０をアンテナケーブル７に接続して大きな全長を有する第２アンテナ１２の一部を構成する。
【００３９】
アンテナケーブル１は、高周波フィルタ５が、図１に示すように多極プラグ部２の配線基板１６に形成したグランド線パターン１７Ｇに設けたインダクタ２４とコンデンサ２５の並列共振回路により構成される。高周波フィルタ５は、携帯電話機６側から出力されるオーディオ信号を通過させ、同軸ケーブル４を介してイヤホンコード８に伝送してイヤホン９から出力されるようにする。高周波フィルタ５は、インダクタ２４とコンデンサ２５に後述する特性仕様を有するものが用いられ、上述したオーディオ信号の通過機能とともに同軸ケーブル４とイヤホンアンテナ７とにより構成した第２アンテナ１２で受信したＲＦ信号の所定周波数帯域成分を選択して携帯電話機６側へと伝送する機能を奏する。
【００４０】
ところで、上述したインダクタ２４とコンデンサ２５の並列共振回路は、インダクタ２４のインピーダンスＺＬがＺＬ＝ｊ２πＬ、コンデンサ２５のインピーダンスＺＣがＺＣ＝ｊ２πＣであることから、インピーダンスＺが、インダクタ２４のインピーダンスＺＬとコンデンサ２５のインピーダンスＺＣの並列インピーダンスとしてＺ＝１／（１／ＺＬ＋１／ＺＣ）で表される。したがって、並列共振回路は、インピーダンスＺが無限大となる共振周波数ｆが、ｆ＝１／（２π（√ＬＣ））で表される。
【００４１】
高周波フィルタ５は、所定の特性仕様のインダクタ２４とコンデンサ２５を適宜組み合わせた並列共振回路により構成することで、第２アンテナ１２により受信したＲＦ信号からｆ１帯域のＲＦ信号成分をカットする帯域通過阻止フィルタ（ＢＥＦ）を構成する。高周波フィルタ５は、上述したように人体Ｈの影響が比較的少ない低帯域の７０ＭＨｚ〜１００ＭＨｚ帯域のＲＦ信号を通過させて携帯電話機６側へと伝送させるとともに、人体Ｈの影響を受けやすい高帯域の第１ＲＦ信号をカットして携帯電話機６側への伝送を禁止する作用を奏する。
【００４２】
なお、高周波フィルタ５は、グランド線パターン１７Ｇに対してインダクタ２４とコンデンサ２５を並列に接続した並列共振回路により構成したが、かかる実装部品に限定されないことは勿論である。高周波フィルタ５は、インダクタ２４とコンデンサ２５の機能を１チップ化したチップ部品であってもよい。高周波フィルタ５は、配線基板１６を積層基板とすることにより、インダクタ２４とコンデンサ２５の機能を層内に形成することも可能である。
【００４３】
アンテナケーブル１においては、上述したように人体Ｈの影響を受けやすい高周波数帯域の第１ＲＦ信号（ｆ１）を、人体Ｈの影響を低減する同軸ケーブル４からなる第１アンテナ１１により受信するとともに人体Ｈに触れることによりアンテナ特性の低下が生じる同軸ケーブル４とイヤホンアンテナ７からなる全長が大きな第２アンテナ１２でも受信することになる。アンテナケーブル１においては、上述した機能に設定された高周波フィルタ５により第２アンテナ１２側で受信した第１ＲＦ信号をカットする。アンテナケーブル１においては、これにより第１アンテナ１１で受信した第１ＲＦ信号との相互干渉による特性劣化を防止する。
【００４４】
アンテナケーブル１においては、上述したようにインダクタ２４とコンデンサ２５の並列共振回路により構成した高周波フィルタ５を備え、第２アンテナ１２により受信したＲＦ信号から所定周波数帯域ｆ１の第１ＲＦ信号成分をカットする。アンテナケーブル１においては、小さなインダクタンス値のインダクタ２４と高容量のコンデンサ２５とにより並列共振回路を構成することにより、所定周波数帯域の高周波成分をカットするに足るインピーダンスを確保することが可能である。
【００４５】
アンテナケーブル１においては、高周波フィルタ５を各アンテナの給電点を構成する多極プラグ部２内に設けたことにより、アンテナの線路長が有効に活用される。また、アンテナケーブル１においては、インダクタ２４やコンデンサ２５の部品実装が容易に行われて組立工程の簡易化や部品削減によるコストの低減が図られるとともに、途中箇所の小型化（重量や体積負荷の軽減）が図られることによりイヤホンアンテナ７を含む引き回しが容易となって使い勝手を向上させる。
【００４６】
アンテナケーブル１においては、上述したように高周波フィルタ５が第２アンテナ１２で受信したＲＦ信号の通過を制御（選択）して携帯電話機６へと伝送することにより、第１アンテナ１１で受信したＲＦ信号との干渉を抑制してアンテナ特性の向上が図られるようにする。また、アンテナケーブル１においては、高周波フィルタ５を備えることによりオーディオ信号線としてのインダクタンスを小さくして直流抵抗成分を低下させることが可能となり、オーディオ特性（音圧レベルやＬチャンネル信号とＲチャンネル信号のセパレーション特性）の劣化を防止して高音質特性や低消費電力が図られるようにする。
【００４７】
従来のイヤホンコードにおいては、上述したようにリッツ線等を用いた一対の信号線を平行状態で外皮内に収納して構成することから、各信号線が高周波的に結合する。したがって、イヤホンコードにおいては、ＲＦ信号を遮断する場合に全ての信号線に対して高周波遮断回路を設けなければならない。一方、アンテナケーブル１においては、アンテナ信号線として同軸ケーブル４のシールド外皮線２２とオーディオ信号線を構成する信号線２０とを用いて第１アンテナ１１を構成する。アンテナケーブル１においては、シールド外皮線２２と信号線２０との間の絶縁が充分に保持されており高周波として結合しにくい同軸ケーブル４の特性により、各信号線２０にそれぞれ高周波遮断回路を設ける必要は無く簡易に構成される。アンテナケーブル１においては、同軸ケーブル４のシールド外皮線２２が物理的に開放されてＲＦ信号がイヤホンケーブル８に流れにくい構造となっており、所定周波数帯域ｆ１のＲＦ信号の伝送をカットする。
【００４８】
アンテナケーブル１においては、上述したように網線からなる同軸ケーブル４のシールド外皮線２２をアンテナ線として用いることにより充分な導体面積を確保することが可能となり、高周波信号線路の導体抵抗値が低減されてアンテナの放射効率の向上或いは損失の低減が図られる。アンテナケーブル１においては、上述したようにシールドされた信号線２０がオーディオ信号の信号線を構成することにより、外部ノイズの混入を低減する。アンテナケーブル１においては、同軸ケーブル４を用いることにより、電線製造時に高周波インピーダンスを管理することが可能となり特性バラツキが低減される。
【００４９】
携帯電話機６においては、第１ＲＦ信号用アンテナと第２ＲＦ信号用アンテナをそれぞれ使い分ける場合に、各アンテナを接続するための接続端子（給電端子）が必要となるとともにマッチング回路も複雑となる。アンテナケーブル１においては、上述したように同軸ケーブル４とイヤホンケーブル８を一体化して外部接続コネクタ部１０に着脱されることにより、携帯電話機６側にいてマッチング回路の簡易化や部品数の削減によるコスト低減が図られるようにする。アンテナケーブル１においては、最も電流が流れるアンテナ給電端子を構成する多極プラグ部２に高周波フィルタ５を内蔵した構造であることから、フィルタ機能が最大限に発揮される。
【００５０】
アンテナケーブル１は、携帯電話機６とイヤホンアンテナ７に接続して用いることにより、図５（Ａ）及び同図（Ｂ）に示すように携帯電話機６の筐体をグランドとし、多極プラグ部２を給電点とした異なる帯域のＲＦ信号に共振特性を有する第１アンテナ１１と第２アンテナ１２を有する複合アンテナを構成する。アンテナケーブル１は、具体的には同図（Ｃ）で示すように周波数帯域ｆ１の第１ＲＦ信号を受信（送信）する第１アンテナ１１と、同図（Ｄ）で示す周波数帯域ｆ１以外の第２ＲＦ信号を受信（送信）する第２アンテナ１２を構成する。
【００５１】
アンテナケーブル１は、上述したように高周波フィルタ５が、第２アンテナ１２の給電点側に設けられて帯域通過阻止フィルタを構成する。高周波フィルタ５は、ｆ≠ｆ１の場合に高周波遮断回路として機能せず、ｆ＜ｆ１の場合にインダクタＬとして機能し、さらにｆ＞ｆ１の場合にコンデンサＣとして機能する。高周波フィルタ５は、例えばインダクタンス６８ｎＨのインダクタ２４と容量１０ｐＦのコンデンサ２５を用いて構成する。高周波フィルタ５は、図６に示すＳ１１特性図及び図７に示すＳ２１特性図から明らかなように共振周波数ｆ１＝１９２ＭＨｚにおいてインピーダンスが無限大となり、当該ｆ１帯域の第１ＲＦ信号をカットする。
【００５２】
アンテナケーブル１は、携帯電話機６とイヤホンアンテナ７を接続し、高周波フィルタ５によりＲＦ信号の伝送を制御される第１アンテナ１１と第２アンテナ１２を構成することにより、図８及び図９に示す特性を示す。これに対して、一般的なリッツ線で構成したイヤホンアンテナの特性を図１０に示す。アンテナケーブル１は、図８及び図９において同軸ケーブル４により構成する第１アンテナ１１がｆ１で示す特性を有するとともに、同軸ケーブル４とイヤホンアンテナ７により構成する第２アンテナ１２がｆ２で示す特性を有する。したがって、アンテナケーブル１は、従来のイヤホンアンテナと比較してｆ１帯域においてアンテナゲインに約１０ｄＢの向上が図られる。
【００５３】
上述した実施の形態においては、携帯電話機６とイヤホンアンテナ７を接続して１９０ＭＨｚ帯域のデジタルラジオ放送番組と７０ＭＨｚ〜１００ＭＨｚ帯域のＦＭラジオ放送番組を高感度で受信することを可能とするアンテナケーブル１を示したが、本発明はかかるアンテナケーブル１に限定されないことは勿論である。アンテナケーブル１は、上述したように携帯電話機６に変えて各種携帯端末機に接続して用いることが可能であり、またロッドアンテナ等の適宜のアンテナと接続して第２アンテナを構成して用いるようにしてもよい。
【００５４】
アンテナケーブル１においては、各種アンテナと接続して用いる場合でも、同軸ケーブル４の全長で共振する第１アンテナ１１により第１ＲＦ信号を効率よく受信するとともに、同軸ケーブル４と接続アンテナとで第２アンテナを構成して広帯域化を図って第２のＲＦ信号を効率よく受信する。アンテナケーブル１においては、いずれのアンテナと接続して用いる場合でも、人体Ｈの影響が回避される第１アンテナ１１により第１ＲＦ信号を受信するとともに第２アンテナ１２により第１ＲＦ信号よりも低周波数帯域の第２ＲＦ信号を受信するようにして用いられる。
【００５５】
アンテナケーブル１においては、同軸ケーブル４を所定の長さに設定して第１アンテナ１１の共振周波数ｆ１を変更するとともに、高周波フィルタ５を構成するインダクタ２４とコンデンサ２５によるＬＣ定数を適宜設定して変更された帯域ｆ１のＲＦ信号をカットすることも簡単に対応可能である。アンテナケーブル１においては、例えば第１アンテナ１１の共振周波数ｆ１を、１９０ＭＨｚ帯域のデジタルラジオ放送対応アンテナからさらに高帯域の４７０ＭＨｚ〜８７０ＭＨｚ帯域のＵＨＦテレビジョン放送対応アンテナに変更することが容易に対応可能である。
【００５６】
アンテナケーブル１においては、上述したようにインダクタ２４とコンデンサ２５によるＬＣ定数の設定により、高周波フィルタ５が、同軸ケーブル４の長さにより設定する共振周波数ｆ１に対して、第２アンテナ１２に共振周波数ｆ１へのＲＦ信号の伝送をカットする帯域通過阻止フィルタ（ＢＥＦ）として機能する。したがって、アンテナケーブル１においては、上述したように共振周波数ｆ１の高帯域の第１ＲＦ信号を同軸ケーブル４のシールド外皮線２２からなる第１アンテナ１１で共振して受信するとともに、共振周波数ｆ１の帯域外の第２ＲＦ信号を同軸ケーブル４とイヤホンアンテナ７とにより構成する第２アンテナ１２により受信する。
【００５７】
図１１に示したアンテナケーブル１Ａは、高周波フィルタ５が、インダクタ２４とコンデンサ２５によるＬＣ定数を適宜設定することにより基準周波数をｆ１としたローパスフィルタ（ＬＰＦ）として構成される。アンテナケーブル１Ａにおいては、高周波フィルタ５が、同図矢印で示すように基準周波数に対して低帯域のＲＦ信号を通過（カット）させて第２アンテナ１２で共振して発信（受信）させるようにする。アンテナケーブル１Ａにおいては、高周波フィルタ５が基準周波数よりも高帯域のＲＦ信号を高周波フィルタ５によりカット（通過）して第１アンテナ１１で共振して発信（受信）させるようにする。
【００５８】
図１２に示したアンテナケーブル１Ｂは、高周波フィルタ５が、インダクタ２４とコンデンサ２５によるＬＣ定数を適宜設定することにより基準周波数をｆ１としたハイパスフィルタ（ＨＰＦ）として構成される。アンテナケーブル１Ｂにおいては、高周波フィルタ５が、同図矢印で示すように基準周波数に対して高帯域のＲＦ信号を通過（カット）させて第２アンテナ１２で共振して発信（受信）させるようにする。アンテナケーブル１Ａにおいては、高周波フィルタ５が基準周波数に対して低帯域のＲＦ信号をカット（通過）して第１アンテナ１１で共振して発信（受信）させるようにする。
【００５９】
ところで、携帯電話機６等の携帯端末機とイヤホンアンテナ７等のアンテナとを接続して異なる周波数帯域のＲＦ信号を受信可能とするアンテナケーブルにおいては、人体Ｈの影響を低減するために、同軸ケーブル４のシールド外皮線２２にＲＦ信号を流すことが理想である。しかしながら、アンテナケーブルにおいては、１／４波長の長さを有する同軸ケーブル４よりも短波長のＲＦ信号を受信する場合に、シールド外皮線２２よりも信号線２０に流すほうが効率がよい場合もある。
【００６０】
上述した実施の形態においては、同軸ケーブル４とイヤホンアンテナ７により構成する第２アンテナ１２により受信した第２ＲＦ信号の所定周波数成分を選択して携帯電話機６へと伝送する高周波フィルタ５を設けたが、本発明は例えば図１３及び図１４に第２の実施の形態として示したアンテナケーブル３０にも展開される。なお、アンテナケーブル３０は、基本的な構成を上述したアンテナケーブルと同等とすることから対応する部位には同一符号を付してその説明を省略する。
【００６１】
アンテナケーブル３０は、図１４に示すように同軸ケーブル４の信号線２０に接続した第１高周波フィルタ３１とシールド外皮線２２に接続する第２高周波フィルタ３２を備えることを基本構成とする。アンテナケーブル３０も、図１３に示す実施の形態では高周波フィルタ３１、３２をそれぞれインダクタとコンデンサとによる並列回路により構成するが、かかる高周波フィルタに限定されないことは勿論である。また、アンテナケーブル３０は、第１高周波フィルタ３１と第２高周波フィルタ３２として、それぞれローパスフィルタと、ハイパスフィルタと、バンドパスフィルタと、帯域通過阻止フィルタが選択され、異なる帯域のＲＦ信号に対する共振特性を有する第１アンテナ１１と第２アンテナ１２との組み合わせにより多様なアンテナを構成することが可能である。
【００６２】
アンテナケーブル３０においては、配線基板３３に第１高周波フィルタ３１と並列に第２高周波フィルタ３２を搭載し、第１高周波フィルタ３１による上述した第２アンテナ１２で受信（送信）する第２ＲＦ信号の制御を行うとともに、第２高周波フィルタ３２により第１アンテナ１１で受信（送信）する第１ＲＦ信号の制御を行うことにより、さらに効率的なアンテナ特性が得られるようにする。なお、第１高周波フィルタ３１も、上述した高周波フィルタ５と同様にグランド線パターン１７Ｇに設けた第１インダクタ３４と第１コンデンサ３５による並列共振回路から構成される。
【００６３】
アンテナケーブル３０は、上述したように多極プラグ部２の配線基板３３に同軸ケーブル４のシールド外皮線２２を接続するシールド線パターン１７Ｓが形成されており、図１３に示すようにシールド線パターン１７Ｓに第２インダクタ３６と第２コンデンサ３７の並列共振回路からなる第２高周波フィルタ３２を設ける。すなわち、アンテナケーブル３０には、同軸ケーブル４のグランド信号線２０Ｇと接続されたグランド線パターン１７Ｇに設けた第１高周波フィルタ３１に並列に接続した、同軸ケーブル４のシールド外皮線２２と接続されたシールド線パターン１７Ｓに設けた第２高周波フィル３２を備える。なお、第２高周波フィル３２については、オーディオ信号の伝送路を構成しないことから、上述したインダクタとコンデンサの並列共振回路により構成したものに限定されない。
【００６４】
アンテナケーブル３０においては、第１高周波フィルタ３１を構成する第１インダクタ３４と第１コンデンサ３５によるＬＣ定数と、第２高周波フィルタ３２を構成する第２インダクタ３６と第２コンデンサ３７によるＬＣ定数が適宜設定される。アンテナケーブル３０においては、第１高周波フィルタ３１のＬＣ定数と第２高周波フィルタ３２のＬＣ定数により、必要な周波数帯域のＲＦ信号を同軸ケーブル４のシールド外皮線２２に流すか信号線２０に流すかを選択した複合機能のアンテナを構成する。
【００６５】
アンテナケーブル３０においては、第１高周波フィルタ３１を、同軸ケーブル４の長さにより設定する共振周波数ｆ１に対して、低帯域信号を通過させるローパスフィルタ（ＬＰＦ）、高帯域信号を通過させるハイパスフィルタ（ＨＰＦ）、所定帯域の信号を通過させるバンドパスフィルタ（ＢＰＦ）或いは所定帯域の信号をカットする帯域通過阻止フィルタ（ＢＥＦ）として機能させる。アンテナケーブル３０においては、第２高周波フィルタ３２も、同様にしてＬＰＦ、ＨＰＦ、ＢＰＦ或いはＢＥＦとして機能させる。
【００６６】
図１５に示したアンテナケーブル３０Ａは、第１高周波フィルタ３１として第２アンテナ１２側への共振周波数ｆ１の第１ＲＦ信号をカットするＢＥＦを用いるとともに、第２高周波フィルタ３２として共振周波数ｆ１の第１ＲＦ信号を通過させるＢＰＦを用いて構成する。アンテナケーブル３０Ａにおいては、共振周波数ｆ１の帯域を有する第１ＲＦ信号を第１アンテナ１１で共振して受信するとともに、共振周波数ｆ１外の第２ＲＦ信号を第２アンテナ１２で共振して受信する。
【００６７】
図１６に示したアンテナケーブル３０Ｂは、第１高周波フィルタ３１として第２アンテナ１２側への共振周波数ｆ１よりも低帯域のＲＦ信号を通過させるＬＰＦを用いるとともに、第２高周波フィルタ３２を共振周波数ｆ１よりも高帯域のＲＦ信号を通過させるＨＰＦを用いて構成する。アンテナケーブル３０Ｂにおいては、共振周波数ｆ１の帯域よりも高帯域の第１のＲＦ信号を第１アンテナ１１で共振して受信するとともに、共振周波数ｆ１の帯域よりも低帯域の第２のＲＦ信号を第２アンテナ１１で共振して受信する。
【００６８】
図１７に示したアンテナケーブル３０Ｃは、第１高周波フィルタ３１として第２アンテナ１２側への共振周波数ｆ１よりも高帯域のＲＦ信号を通過させるＨＰＦを用いるとともに、第２高周波フィルタ３２として共振周波数ｆ１よりも低帯域のＲＦ信号を通過させるＨＰＦを用いて構成する。アンテナケーブル３０Ｂにおいては、共振周波数ｆ１の帯域よりも低帯域の第１のＲＦ信号を第１アンテナ１１で共振して受信するとともに、共振周波数ｆ１の帯域よりも高帯域の第２のＲＦ信号を第２アンテナ１１で共振して受信する。
【００６９】
第３の実施の形態として図１８に示したアンテナケーブル４０は、第２アンテナ１２により受信した第２のＲＦ信号の所定周波数成分を選択して携帯電話機６へと伝送する高周波フィルタ４１を備える構成について上述したアンテナケーブル１と同様とするが、この高周波フィルタ４１を複数個の高周波フィルタ４１（４１Ａ、４１Ｂ）により構成したことを特徴とする。アンテナケーブル４０は、これら高周波フィルタ４１を上述した各機能のフィルタを適宜組み合わせて構成し、第２アンテナ１２により受信した第２ＲＦ信号を第１の高周波フィルタ４１Ａと第２の高周波フィルタ４１Ｂにより多段に制御する。
【００７０】
アンテナケーブル４０は、例えば第１の高周波フィルタ４１Ａとして第２アンテナ１２側への共振周波数ｆ１のＲＦ信号をカットするＢＥＦを用いるとともに、第２の高周波フィルタ４１Ｂとして第２アンテナ１２側への共振周波数ｆ２のＲＦ信号をカットするＢＥＦを用いて構成する。アンテナケーブル４０においては、共振周波数ｆ１の帯域と共振周波数ｆ２の帯域を有する第１ＲＦ信号を第１アンテナ１１で共振して受信するとともに、共振周波数ｆ１、ｆ２外の第２ＲＦ信号を第２アンテナ１２で共振して受信する。
【００７１】
なお、上述した各実施の形態として示したアンテナケーブルは、携帯電話機６とイヤホンコード８に接続して１９０ＭＨｚ帯域のデジタルラジオ放送番組と７０ＭＨｚ〜１００ＭＨｚ帯域のＦＭラジオ放送番組を受信して左右のイヤホン９Ｌ、９Ｒにより高音質で聞くようにしたが、かかる２周波数帯域のＲＦ信号に限定されないことは勿論である。アンテナケーブルにおいては、同軸ケーブル４とイヤホンアンテナ７を適宜選択することにより、異なる帯域の第１ＲＦ信号と第２ＲＦ信号を効率よく送受信する。
【００７２】
アンテナケーブルは、第１ＲＦ信号（ｆ１）として、対象とするλ１の基準ＲＦ信号に対して１／４λ１、１／２λ１のＲＦ信号とともに、高調波信号についても適用可能である。また、アンテナケーブルは、第２ＲＦ信号（ｆ２）として、対象とするλ２の基準ＲＦ信号に対して１／４λ１、１／２λ１のＲＦ信号とともに、高調波信号についても適用可能である。アンテナケーブルは、第１ＲＦ信号に対して共振特性を有する第１アンテナ１１と第２ＲＦ信号に対して共振特性を有する第２アンテナ１２を構成して、広帯域化を図るとともにアンテナ特性の向上が図られるようにする。
【００７３】
なお、本発明は、第１アンテナ１１と第２アンテナ１２にそれぞれ高周波フィルタを接続した上述した第２の実施の形態と、多段の高周波フィルタを設けた第３の実施の形態とを組み合わせてアンテナケーブルを構成するようにしてもよいことは勿論である。
【図面の簡単な説明】
【００７４】
【図１】本発明の第１の実施の形態として示すアンテナケーブルを用いて携帯電話機とイヤホンアンテナとを接続した適用例の構成図である。
【図２】アンテナケーブルの使用状態の説明図である。
【図３】アンテナケーブルと接続するイヤホンアンテナの説明図である。
【図４】アンテナケーブルの要部平面図である。
【図５】アンテナケーブルを用いて携帯電話機とイヤホンアンテナとを接続して構成されるアンテナの説明図であり、同図（Ａ）は各部の接続図、同図（Ｂ）はアンテナ構成図、同図（Ｃ）は第１アンテナ図、同図（Ｄ）は第２アンテナ図である。
【図６】高周波フィルタの機能を説明するためのアンテナのＳ１１特性図である。
【図７】同アンテナのＳ２１特性図である。
【図８】アンテナケーブルを用いて携帯電話機とイヤホンアンテナとを接続して構成されるアンテナのＳ１１特性図である。
【図９】同アンテナの使用状態における対周波数帯域ゲイン測定図である。
【図１０】従来のイヤホンアンテナの使用状態における特性図である。
【図１１】アンテナケーブルの高周波フィルタをローパスフィルタ機能に設定したアンテナの説明図である。
【図１２】アンテナケーブルの高周波フィルタをハイパスフィルタ機能に設定したアンテナの説明図である。
【図１３】本発明の第２の実施の形態として示すアンテナケーブルを用いて携帯電話機とイヤホンアンテナとを接続した適用例の構成図である。
【図１４】同アンテナケーブルの説明図である。
【図１５】アンテナケーブルの第２アンテナ側に設ける第１の高周波フィルタを帯域通過阻止フィルタ機能に設定するとともに、第１アンテナ側に設ける第２の高周波フィルタを帯域通過フィルタ機能に設定したアンテナの説明図である。
【図１６】アンテナケーブルの第２アンテナ側に設ける第１の高周波フィルタをローパスフィルタ機能に設定するとともに、第１アンテナ側に設ける第２の高周波フィルタをハイパスフィルタ機能に設定したアンテナの説明図である。
【図１７】アンテナケーブルの第２アンテナ側に設ける第１の高周波フィルタをハイパスフィルタ機能に設定するとともに、第１アンテナ側に設ける第２の高周波フィルタをローパスフィルタ機能に設定したアンテナの説明図である。
【図１８】本発明の第３の実施の形態として示す高周波フィルタを多段に接続したアンテナケーブルを用いて携帯電話機とイヤホンアンテナとを接続した適用例の説明図である。
【符号の説明】
【００７５】
１  アンテナケーブル、２  多極プラグ部、３  高周波ジャック部、４  同軸ケーブル、５  高周波フィルタ、６  携帯電話機、７  イヤホンアンテナ、８  イヤホンコード、９  イヤホン、１０  外部接続コネクタ部、１１  第１アンテナ、１２  第２アンテナ、１３  多極プラグ体、１４  オーディオ信号線、１６  配線基板、１７  配線パターン、２０  信号線、２１  絶縁被膜、２２  シールド外皮線、２３  絶縁外皮、２４  インダクタ、２５  コンデンサ、３０  アンテナケーブル、３１  第１高周波フィルタ、３２  第２高周波フィルタ、３３  配線基板、３４  第１インダクタ、３５  第１コンデンサ、３６  第２インダクタ、３７  第２コンデンサ、４０  アンテナケーブル
【図１】
2008263373.tif 000003
【図２】
2008263373.tif 000004
【図３】
2008263373.tif 000005
【図４】
2008263373.tif 000006
【図５】
2008263373.tif 000007
【図６】
2008263373.tif 000008
【図７】
2008263373.tif 000009
【図８】
2008263373.tif 000010
【図９】
2008263373.tif 000011
【図１０】
2008263373.tif 000012
【図１１】
2008263373.tif 000013
【図１２】
2008263373.tif 000014
【図１３】
2008263373.tif 000015
【図１４】
2008263373.tif 000016
【図１５】
2008263373.tif 000017
【図１６】
2008263373.tif 000018
【図１７】
2008263373.tif 000019
【図１８】
2008263373.tif 000020